(57)【特許請求の範囲】
【請求項１】
括り罠取付座の上に括り罠を固定し、
前記括り罠は移動部と固定部を有するバネ機構と、
前記バネ機構の蓄勢状態を解除しないように係止する係止装置と、
先端部が締め込み可能な環状の括り輪を構成する括りワイヤとから成り、
前記バネ機構の移動部の先端部近傍にバネを蓄勢状態で係止する係止具と前記括りワイヤを通す括りワイヤ通し輪を取り付け、
台座と、台座に回転自在に取付けられた引き金と、台座の引き金側に設けられた係止ピンと、前記係止ピンの下部に設けられた引き金ストッパーとを備え、
引き金には係止ピンを通す穴が開けられており、係止ピンは前記穴を貫通して通され、バネ機構の移動部の先端に取付けられた係止具が引掛けられ、バネ機構の移動部を係止しており、
引き金の係止ピン用の穴の下部に引き金ストッパーを通す穴が開けられており、
台座に固定された引き金ストッパーは前記穴を貫通して通されており、引き金が所定角度以上に持ち上がらないように引き金ストッパーの先端には引き金に開けた穴よりも大きい係止具が付けられている係止装置を前記バネ機構の固定部の先端部近傍に設け、
前記係止装置の引き金にはエサを取り付ける紐または棒の一端を固定し、
前記括りワイヤの括り輪は前記エサの外周に位置するように配置した
ことを特徴とする取付座付括り罠。
【請求項２】
括り罠のバネ機構は、コイル状に巻回された捻りバネ部を中央部に有し、
その一端が固定部の基アーム、他端が移動部である跳ね上げアームを構成し、
夫々の先端部同士が相互に近接する状態で蓄勢される、
ことを特徴とする請求項１記載の取付座付括り罠。
【請求項３】
括り罠のエサを取巻くようにエサ囲い筒を配置し、
前記エサ囲い筒の下端は括り罠取付座に当接し、
前記エサ囲い筒の上端部の周囲に沿って３箇所以上にワイヤガイドを設け、
前記エサ囲い筒の上端部で前記ワイヤガイドの外側に括り輪を配設した
ことを特徴とする請求項１または請求項２記載のいずれか一つの取付座付括り罠。
【発明の詳細な説明】
【技術分野】
【０００１】
本発明は野生動物、主としてサル、アライグマ等の害獣を捕獲するために使用する括り罠に関するものである。
【背景技術】
【０００２】
従来の括り罠は猪、鹿等の野生動物を捕獲するために仕掛ける罠で、足首を括りワイヤで括って捕獲する狩猟罠である。しかし、農作物へ大きな被害を与える害獣の足首以外を括りワイヤで括って捕獲する狩猟罠については殆んど知られておらず、サルやアライグマ等の手を使用してエサを食する野生動物の括り罠はほとんど無かった。
【先行技術文献】
【特許文献】
【０００３】
【特許文献１】特開２０１３−４６５７５
【特許文献２】実用新案登録３１４０００６
【特許文献３】実用新案登録３１８４８８３
【特許文献４】実用新案登録３１９０８５５
【発明の概要】
【発明が解決しようとする課題】
【０００４】
特許文献１等に示す従来の括り罠は地上を歩行、走行する野生動物を捕獲するために発明されており、括り罠を設置するのに落し穴を掘り、この落し穴の上に小さな踏板を設置し、その踏板の上に落ち葉や土砂等を被せて罠を覆い隠していたため、設置工数が大きく、排出される土も多かった。
設置工数が大きいため、括り罠設置場所に人が滞在する時間が長く、人の臭いが残りやすく、土を掘り起こしていたため括り罠設置場所の雰囲気が変わり、野生動物に警戒心を与えやすかった。
また、野生動物が通る獣道を探して、しかも獣道の野生動物が足を踏み下ろす箇所に括り罠を仕掛けなければ、括り罠で野生動物を捕獲できなかった。すなわち、前記の小さな踏板を踏ませる必要があり、野生動物に小さな踏板を踏ませるのは非常に難しく、括り罠の設置や設置場所の選定に熟練技術を必要とし、初心者にとっては野生動物の捕獲することは非常に困難であった。
ましてや、主として手を使用するサルやアライグマ等は、従来の足首を括りワイヤで括って捕獲する括り罠では捕獲することは困難であった。
一方、サルを捕獲対象としたサル罠も僅かに公表されている。
特許文献２のサル罠は、エサを入れた本体を立木に垂直に固定するように考案された罠であり、押しバネ部が本体から突出しており、取扱い方法や取付方向に課題があった。押しバネを使用しているため括り罠を設置してから動作試験をすると、押しバネが長く伸長するので括り罠を設置した状態で押しバネを元の状態に戻すことが出来ず、設置した後の動作の確認が出来ない等、課題があった。更に、サルの手を括るロープは水平方向に動作するので、サルが素早く手を引っ込めるとロープで手を括れ無いと言う課題もあった。
特許文献３はワイヤを使った括り罠では無いが、サルの腕をリングとリングをスライドさせて挟んで拘束し、サルを捕獲する罠がサルの腕括り罠という考案の名称で出願されている。
リングに捕獲針が設けられており、サルの腕をリングとリングをスライドさせて挟んで拘束するだけでは腕が括り罠から抜ける可能性があるため、リングに設けた捕獲針で突き刺して腕が抜けないようにする危険な罠である。
特許文献４は本特許の発明者が考案した括り罠で実際に設置しサルの捕獲実績もあるが、何処にでも簡単に素人が設置できる設置の容易さの他、エサに対しては全方向からエサを取ることができる、エサを素早く持ち上げると括り輪に掛からないことがある等、機能上の課題もあった。この経験から課題を抽出し、設置の容易さや捕獲率向上の発明をしたのが本発明である。
【課題を解決するための手段】
【０００５】
上記した課題に鑑み、本発明の第一の括り罠は、括り罠取付座の上に、エサを取り付けた括り罠一式を取り付け、括り罠取付座を地上や柵や木の上などに固定するだけで設置が完了し、地面に穴を掘る等の特別な作業を必要としない括り罠としている。そして、括り罠には野生動物用のエサにより野生動物を誘き寄せるようにしている。地上に置いた括り罠のエサを野生動物が持ち上げたとき、エサに連結された引き金が係止具を外してバネを開放動作させ、括り輪のワイヤを締め込むようにバネが動作し、エサを持ち上げた野生動物の手首や腕等を括りワイヤが締め込み、野生動物を捕獲する。括り輪には狩猟法に規定されている締め付け防止金具を設け一定以上にワイヤを締め込めないように配慮してある。
例えば、地上に置いた括り罠のエサをサルが手で持ち上げた場合、エサに連結された引き金がバネの係止具を外してバネの蓄勢を開放動作し、括り輪のワイヤを締め込むようにバネが上方に動作し、エサを持ったサルの手首とかその上部の腕を括り輪のワイヤが閉め込み、ワイヤでサルを捕獲するように構成している。
もちろん、サル以外の害獣捕獲にも有効で、例えば、猪がエサを食しようとエサを口で持ち上げた瞬間にエサに連結された引き金がバネの係止具を外してバネの蓄勢を開放作動し、括り輪のワイヤを締め込むようにバネが上方に動作してエサを銜えた猪の鼻とか、牙より上部の顔を閉め込むみ、猪を捕獲することも出来る。
【０００６】
本発明の第二の括り罠は、台座に取り付ける括り罠のバネに捻りバネを使用している。このため、地上に置いたエサをサルが手で持ち上げたとき、あるいは猪がエサを口に銜えて持ち上げたとき、エサに連結された引き金が捻りバネの係止具を外してバネを開放作動し、括り輪のワイヤを引き上げて締め込むように捻りバネが動作し、エサを持ったサルの手首とかその上部の腕を、あるいは猪の鼻や牙より上部の顔を、括り輪のワイヤが閉めこむように構成している。
括り罠のバネに捻りバネを使用しているので、括り罠を設置した後、動作試験をしても移動部である跳ね上げアームを手で元の位置に簡単に戻すことが出来、設置時の状態に簡単に復元できるので、括り罠の誤動作や設置ミスを防ぐことが出来る。
また、バネが動作する時、括り輪のワイヤを水平に引張るのではなく、エサの上方に引き上げて締め込むように捻りバネが動作する、すなわちサルが手を引く方向に括り輪が飛んで行くので、サルの手首とかその上部の腕を括る事になり、捕獲率が高くなっている。
【０００７】
本発明の第三の括り罠は、括り罠のエサを取巻くように高さ数ｃｍ以上の筒を配置し、前記筒の下端は括り罠取付座に当接し、筒の上端部周囲に沿って３箇所以上にワイヤガイドを設け、前記筒の上端部で前記ワイヤガイドの外側に括り輪を配設した構成としている。
このため、例えば、サルがエサを食しようとする場合、ワイヤの側面からエサを取ることが出来ないのでワイヤの正面側からエサに向かって手を伸ばし、エサを掴んで引っ張ることになる。
エサは括り輪よりも少なくとも数ｃｍ以上も下にあり、しかも、括り輪はエサの上方に向かって引き上げられるので、エサを持ったサルの手首とかその上部の腕を確実に括り輪のワイヤが締め込む事になる。筒の高さや直径を調節することにより、捕獲するサルの手の大小すなわちサルの親や子どもを選択することも出来る。筒の高さが低い場合、小サルがエサを掴んだ場合、手が小さいので手全体が括り輪よりも下になりエサを引っ張った場合にワイヤで手首を締め込むことが出来るが、親サルだと手が大きいのでエサを掴んだ場合でも手首はワイヤよりも上にある可能性があり、確実に手首を括れるとは限らないので、高さを高くするのが良い。筒の高さを高くすると小サルはエサに届かなくなり、筒の直径を小さくすれば、親サルは手が大きいので筒に手を入れることが出来ず、小サルしかエサを掴めなくなる等、筒のサイズを変える事により捕獲対象サルを選別することも出来る。
筒は不透明でも、中のエサを側面からも見え易くするために透明や網目としても良い。
【０００８】本発明の係止装置の引き金に連結されエサを取り付けた紐又は棒は、括り輪取付け位置よりも上に持ち上がらないようストッパーを設けた構成としている。このため、例えば、サルがエサを食しようエサを引っ張ったとき、引き金が係止具を外してバネを開放動作し、括り輪のワイヤを締め込むようにバネが動作するが、ワイヤを締め込むよりも前に非常に素早くサルが手を引っ込めた場合、サルの手首を括ることが出来ない場合が生じる。しかし、エサを取り付けた紐又は棒が、ワイヤ取付け位置よりも上に持ち上がらないようストッパーを設けておけば、エサは括り輪よりも上部に持ち上がらないので、サルはエサを取ろうとエサから手を離さず必死に引っ張る。手首は括り輪の下部にあるので、引き金が係止具を外してバネを開放動作し、括り輪のワイヤを締め込むようにバネが動作し、エサを持ったサルの手首とかその上部の腕を括り輪のワイヤが閉め込みサルを捕獲する。
【発明の効果】
【０００９】
本発明は、括り罠取付座の上に括り罠一式を取り付け、括り罠取付座を地上や柵や立木の上などに固定するだけで、地面に穴を掘る等の特別な作業を必要としない設置作業が非常に簡単な括り罠を構成している。しかもエサを使用し、エサを食べようと集まった野生動物がエサを持ち上げた瞬間にバネの復元力により野生動物の手首や鼻等を括り輪のワイヤで括るようにしているので、樹上で生活するサルや主として手を使用して食するアライグマの他、地上を歩行、走行する野生動物等を捕獲することが出来る。また、野生のハクビシン、狸等の捕獲にも効果がある。
また、野生動物が通る獣道を探して、しかも獣道の野生動物が足を踏み下ろす箇所に仕掛ける必要のあった従来の括り罠に比べ、エサを取付け、エサを食べに来る野生動物を捕獲するため、括り罠の設置や設置場所の選定に熟練技術を必要とせず、初心者でも野生動物の捕獲率を高くすることが出来る。
【図面の簡単な説明】
【００１０】
【図１】本願発明の一実施態様を示す括り罠取付座に捻りバネを使用した括り罠を取付けた平面図（ａ）および側面図（ｂ）である。
【図２】捻りバネ使用した括り罠の係止装置の要部である台座１６、引き金１８等を示すＡ―Ａ視の平面図（ａ）および側面図（ｂ）である。
【図３】跳ね上げアーム２の先端部を示す正面図（ａ）と側面図（ｂ）である。
【発明を実施するための形態】
【００１１】
次に、本発明を実施するための形態について、図面を参照しながら取付座付括り罠の例を説明する。ただし、以下に示す実施例は、本発明の技術思想を具体化するための括り罠の例を示すものであって、以下のものに特定するものでない。
【実施例】
【００１２】
この発明に係る取付座付括り罠２００において、図１はバネに捻りバネ１を使用した捻りバネ式括り罠１００を適用した一例である。括り罠取付座４は厚さ約２ｃｍで幅は約１５ｃｍの木材板で製作している。この括り罠取付座４に捻りバネ式括り罠１００、括りワイヤ６、括り輪７、台座１６、エサ囲い筒５等をセットしたものを基アーム固定具２５でスペーサ２６等を介して固定している。エサ囲い筒５は台座１６と基アーム押え金２２の間に挟み込むようにして基アーム３の先の杭１４と固定している。杭１４の先端は括り罠取付座４に穴を開け差込んでおくと、括り罠取付座４と捻りバネ式括り罠１００のずれ防止になり、より強固な取付座を有する括り罠とする事が出来る。
この捻りバネ式括り罠１００は各部がサル等を狩るのに極めて簡単、丈夫で且つ最適な構造をしている。捻りバネ式括り罠１００の主要部材は、跳ね上げアーム２、基アーム３および杭１４から成る捻りバネ１、先端に括り輪７を有する括りワイヤ６、台座１６、台座１６に回転自在に取付けられエサ取付棒２０を固定した引き金１８、エサの周囲を囲むエサ囲い筒５等から構成されている。
跳ね上げアーム２は括り輪７を瞬時に上方へ跳ね上げて締め込み、ワイヤガイド１２は括り輪７がエサ囲い筒５の上端に沿った箇所に設置され、括り輪７が跳ね上げられるときのガイドとなる。
【００１３】
引き金１８はアルミ等の金属板で構成し、これにエサ取付棒２０の一端をネジ止めとか溶接で固定している。エサ取付棒２０の先端にエサ３０を取り付ける。エサ３０が落花生等のような小さい場合は、網袋や透明なビニール袋に入れてエサ取付棒２０に取付けても良い。あるいはエサ取付棒２０を無くして、エサ３０を網袋や透明なビニール袋に入れて縛った紐を引き金１８に穴等をあけて括り付けてもよい。
捻りバネ１は直径６ｍｍ程度の１本の鋼線からなる素線で、この鋼線をバネ強度を増強するため複数回らせん状に巻回して作られた捻りバネ１からなり、その一端には跳ね上げアーム２を、他端には基アーム３、基アーム３の先に同一素線を直角に折り曲げた杭１４を有する。跳ね上げアーム２が開放状態の時は、基アーム３との開き角度は約１２０度にしている。括り罠取付座４には立木、柵などにビス止め、ボルトとナット止め、針金止め等を容易にするため括り罠取付座取付穴２９を複数個設けてある。
【００１４】
図２に係止装置１５の要部を示すが、台座１６は厚さ１５ｍｍ、幅４０ｍｍで長さが１２０ｍｍ程度の木材板で作られており、長方形の引き金１８の端部を引き金取付金１９で前記台座１６に回転自在に取付ける。台座１６の引き金１８側には、係止ピン１７を設けている。
引き金１８の長尺方向の中央部には、係止ピン１７を通す穴が開けられており、係止ピン１７は前記穴を貫通して通し、跳ね上げアーム２先端に取付けられた係止具９を引っかけ跳ね上げアーム２を係止する。
【００１５】
エサ囲い筒５はエサ取付棒２０に取付けられたエサ３０を取巻くように高さ数ｃｍ以上の筒から成り、前記エサ囲い筒５の下端は括り罠取付座４に接し、エサ囲い筒５の上端部周囲に沿って３箇所以上にワイヤガイド１２を設け、前記エサ囲い筒５の上端部で前記ワイヤガイド１２の外側に括り輪７を配置している。ワイヤガイド１２は括り輪７がエサ囲い筒５の上端に沿った箇所に位置させ、括り輪７が締め込まれるときのガイドとなる。
サルがエサを食しようとする場合、括り輪７の側面からはエサ３０を取ることが出来ないので括り輪７の正面側からエサ３０に向かって手を伸ばし、エサを掴んで引っ張ることになる。
エサ３０は括り輪７よりも少なくとも数ｃｍ以上も下にあり、しかも、括り輪はエサの上方に向かって引き上げられるので、エサを持ったサルの手首とかその上部の腕を確実に括り輪のワイヤが締め込む事になる。エサ囲い筒５の高さや直径を調節することにより、捕獲するサルの手の大小すなわちサルの親や子どもを選択することも出来る。エサ囲い筒５の高さが低い場合、小ザルがエサ３０を掴んだ場合、手が小さいので手全体が括り輪７よりも下になりエサ３０を引っ張った場合に括り輪７で手首を締め込むことが出来るが、親サルだと手が大きいのでエサ３０を掴んだ場合でも手首は括り輪７よりも上にある可能性があり、確実に手首を括れるとは限らないので、高さを高くするのが良い。エサ囲い筒５の直径を小さくすれば、親ザルは手が大きいので筒に手を入れることが出来ず、小ザルしかエサを掴めなくなる。また、エサ囲い筒５の高さを高くして小ザルの手の長さではエサ３０に届かなくすれば、親ザルを捕獲することになる。
【００１６】
台座１６の引き金１８取付側の係止ピン１７の下部に引き金ストッパー２１を設けている。引き金１８の係止ピン１７用の穴の下部に引き金ストッパー２１を通す穴が開けられており、係止ピン１７は前記穴を貫通して通されており、引き金１８が所定角度以上に持ち上がらないように引き金ストッパー２１の先端には引き金１８に開けた穴よりも大きい係止具を付けてある。
サルがエサ３０を食しようエサを引っ張ったとき、引き金１８が係止ピン１７を外して捻りバネ１を開放動作し、括り輪７を締め込むように跳ね上げアーム２が動作するが、括り輪７を締め込むよりも前に非常に素早くサルが手を引っ込めた場合、サルの手首を括ることが出来ない場合が生じる。しかし、エサ３０を取り付けた紐又は棒が、括り輪７の取付け位置よりも上に持ち上がらないよう引き金ストッパー２１を設けておけば、エサは括り輪７よりも上部に持ち上がらないので、サルはエサ３０を取ろうと必死にエサを引っ張るので、エサを持ったサルの手首とかその上部の腕を括り輪７が閉め込みサルを捕獲する。
【００１７】
図３に示すように、跳ね上げアーム２の先端は扁平に成形し、直径２ｍｍ程度の穴を２つ開けてある。先端の穴は跳ね上げアーム２を係止する係止具９を取付ける穴、残りの１つの穴は括りワイヤ通し輪８を取付ける穴で、括りワイヤ通し輪８の内径は括りワイヤ６の外形よりも大きくしてあり、この括りワイヤ通し輪８に括りワイヤ６を通したとき括りワイヤ６が自由に動くようにしてある。括りワイヤ通し輪８と括りワイヤ６の滑りを良くするために、括りワイヤ通し輪８にチューブ等を被せても良い。括りワイヤ通し輪８は輪の一箇所が切れており、力の強いサルや猪等が暴れた場合に括りワイヤ通し輪８の切れ目が開き、跳ね上げアーム２から括りワイヤ６が外れるようにしてある。
【００１８】
係止具９は、直径１．５ｍｍ程度の単線のステンレス針金で三角形状の輪を形成している。係止ピン１７の先端が引き金１８に開けた穴から突き出すように引き金１８を閉じ、係止具９を係止ピン１７に引っ掛けて跳ね上げアーム２を係止する。
【００１９】
括りワイヤ６は、外径が３〜６ｍｍ程度で複数の細い鋼線をより合わせて出来ており、その一端を地上に立てた立木等に固定し、他端はエサ囲い筒５の上端に敷設する括り輪７を形成している。括り輪７は括りワイヤ６を引張ると括り輪７の輪が小さく閉め込まれるように構成されている。
括りワイヤ６は、立木等に固定した一端から括り輪７に至るまでの途中で、基アーム３にワイヤ固定部１１で固定し、その次に跳ね上げアーム２の先端に設けた括りワイヤ通し輪８を通し、括り輪７に至っている。押え金１０は、捻りバネ式括り罠１００の設置作業中等に不用意に跳ね上げアーム２が動作して作業者が負傷しないよう、跳ね上げアーム２を借り止めする。
【００２０】
取付座付括り罠２００を地上に設置する場合は、エサ取付棒２０にサツマイモ等のエサ３０を取り付けた捻りバネ式括り罠１００が上になるように括り罠取付座４を地面に接する様に置き、括り罠取付座４に開けた穴にピンを打ち、取付座付括り罠２００が転倒しないようにする。その後、括りワイヤ６の一端を地上の立木等に固定し、安全用の押え金１０を外して跳ね上げアーム２が動作するようにすれば完了である。エサ取付棒２０にサツマイモ等のエサ３０を取り付けるのは、取付座付括り罠２００を設置し、安全用の押え金１０を外す前に取付けても良い。
残りのエサは取付座付括り罠２００の周囲に複数個撒いておけばサル等を誘き寄せるのに効果的である。地面に穴等を掘る作業は全く無く、落ち葉や土砂等を被せて罠を覆い隠す必要も無いので、設置が非常に簡単である。
取付座付括り罠２００を柵とか立木に設置する場合は、括り罠取付座４を適当な高さの位置で柵等に当てがい、括り罠取付座取付穴２９を利用してボルト・ナット、あるいは、針金等で固定する。その後、括りワイヤ６の一端を柵とか立木等に固定するが、以降は地上に設置する場合と同じである。この場合も、設置作業は取付座付括り罠２００を柵とか立木に固定するだけよいので、設置が非常に簡単である。
この場合も、残りのエサは取付座付括り罠２００の周囲の柵とか立木に複数個取付けておけばサル等を誘き寄せるのに効果的である。
【００２１】
取付座付括り罠２００の設置後の動作確認試験も、塵バサミ等でエサ３０を持ち上げた時、係止具９が係止ピン１７から外れて塵バサミが括り輪７で括られることを確認し、跳ね上げアーム２を手で元の位置まで押さえ込み、係止具８を係止ピン１７に引っ掛ければよく、設置後の動作確認試験、再設置も簡単に実施できる。
【００２２】
次に、捻りバネ式括り罠１００の動作を説明する。サル等がエサ囲い筒５の中に置いたエサ３０を掴んで持ち上げると、エサ取付棒２０と引き金１８が図２に矢印で示す左回りに同時に回転する。引き金８が回転すると跳ね上げアーム２を係止している係止具９が押し出されて係止ピン１７から外れ、跳ね上げアーム２が跳ね上がる。括りワイヤ６はワイヤ固定部１１で基アーム３に固定され、跳ね上げアーム２の先端部で括りワイヤ通し輪８に通されているので、ワイヤ固定部１１よりも立木等に固定した側の括りワイヤ６は動かず、括りワイヤ６は跳ね上げアーム２と共に跳ね上がり、括り輪７の根元を上方へ引き上げる。その結果、括り輪７がサルの手首を締め込みながら上方へ引き上げると同時に、括り輪７を手首の太さまで締め込む。サルの掌は手首の太さよりも大きいため、括り輪７から抜けなくなる。
猪がエサ３０を噛んで持ち上げた場合は、鼻とか牙より上部の顔を括り輪７のワイヤが締め込み、括り輪７から抜けなくなる。
【００２３】
括りワイヤ６と基アーム３は括りワイヤ固定部１１で固定され、跳ね上げアーム２とは括りワイヤ通し輪８で接合されているが、括りワイヤ固定部１１、括りワイヤ通し輪８とも一箇所が切れた環状としているので、切り口が開いて括りワイヤ６から分離可能で、サルや猪等が暴れると跳ね上げアーム２、基アーム３は括りワイヤ６から外れ、サルや猪等がこれらを引き回す事がないので捻りバネ１が壊されることは無い。括りワイヤ６の一端は強固な立ち木等に固定されているので、サルや猪等が暴れても逃れることは出来ない。
【００２４】
バネには捻りバネを示したが、その他の弦巻バネ、板バネ等、捻りバネ以外のバネを適用できるのは言うまでも無い。
【産業上の利用可能性】
【００２５】
本発明の害獣捕獲用取付座付括り罠２００は、特にサルやアライグマ等の手を使う害獣の捕獲に有用で、確実に目的とする害獣の手首や体の一部を括って捕らえることが可能であり、猟銃などが使えない場所でも使用できる。また、猪等の害獣を捕獲するための括り罠としても使用できる。
【符号の説明】
【００２６】
１  捻りバネ
２  跳ね上げアーム
３  基アーム
４  括り罠取付座
５  エサ囲い筒  
６  括りワイヤ
７  括り輪
８  括りワイヤ通し輪
９  係止具
１０  押え金  
１１  ワイヤ固定部
１２  ワイヤガイド
１４  杭
１５  係止装置
１６  台座
１７  係止ピン
１８  引き金
１９  引き金取付金
２０  エサ取付棒
２１  引き金ストッパー  
２２  基アーム押え金
２３  皿ネジ
２４  蝶ナット
２５  基アーム固定具
２６  スペーサ
２９  括り罠取付座取付穴
３０  エサ
１００  捻りバネ式括り罠
２００  取付座付括り罠
【図１】
0006399392.tif 000002
【図２】
0006399392.tif 000003
【図３】
0006399392.tif 000004